(57)【要約】  電力変換装置は、金属製の筐体と、金属製の筐体に収容され、直流電流を交流電流に変換するパワー半導体モジュールと、パワー半導体モジュールと並設されて金属製の筐体に収容され、パワー半導体モジュールへ供給される直流電流を平滑化するコンデンサモジュールと、パワー半導体モジュールを駆動する駆動回路部を第１領域に実装し、当該駆動回路部を制御する制御回路部を第２領域に実装し、金属製の筐体の上面を覆うように配設された基板と、基板の第２領域とコンデンサモジュールとが対向する空間に広がり、金属製の筐体と電気的に接続されたベース板と、基板の第１領域と第２領域との境界に沿う方向に延在し、空間をパワー半導体モジュールが配設される筐体の空間から遮断し、金属製の筐体もしくは制御回路部のグランドに電気的に接続された第１ノイズ遮蔽部材とを備える。
2015040970.tif 000002
【特許請求の範囲】
【請求項１】
金属製の筐体と、
前記金属製の筐体に収容され、直流電流を交流電流に変換するパワー半導体モジュールと、
前記パワー半導体モジュールと並設されて前記金属製の筐体に収容され、前記パワー半導体モジュールへ供給される直流電流を平滑化するコンデンサモジュールと、
前記パワー半導体モジュールを駆動する駆動回路部を第１領域に実装し、当該駆動回路部を制御する制御回路部を第２領域に実装し、前記金属製の筐体の上面を覆うように配設された基板と、
前記基板の前記第２領域と前記コンデンサモジュールとが対向する空間に広がり、前記金属製の筐体と電気的に接続されたベース板と、
前記基板の前記第１領域と前記第２領域との境界に沿う方向に延在し、前記空間を前記パワー半導体モジュールが配設される前記筐体の空間から遮断し、前記金属製の筐体もしくは前記制御回路部のグランドに電気的に接続された第１ノイズ遮蔽部材とを備える電力変換装置。
【請求項２】
請求項１に記載の電力変換装置において、
前記第１ノイズ遮蔽部材は、前記ベース板と一体的に形成されている電力変換装置。
【請求項３】
請求項２に記載の電力変換装置において、
前記第１ノイズ遮蔽部材は、前記第２領域に実装された前記制御回路部のグランドに電気的に接続される電力変換装置。
【請求項４】
請求項１に記載の電力変換装置において、
前記基板は、両面のうち、一方の面が前記パワー半導体モジュールおよび前記コンデンサモジュールと対向し、他方の面が前記筐体の開口部を覆う金属製の蓋部材と対向し、
前記第１領域と前記第２領域との間で前記基板の前記他方の面と対向して設けられた第２ノイズ遮蔽部材をさらに備え、
前記第２ノイズ遮蔽部材は、前記基板に実装された前記制御回路部のグランド、および、前記蓋部材の少なくともいずれか一方に電気的に接続される電力変換装置。
【請求項５】
請求項４に記載の電力変換装置において、
前記第２ノイズ遮蔽部材は、前記基板に固定されている電力変換装置。
【請求項６】
請求項４に記載の電力変換装置において、
前記第２ノイズ遮蔽部材は、前記蓋部材に突設されている電力変換装置。
【請求項７】
請求項４に記載の電力変換装置において、
前記第２領域と前記蓋部材が対向する空間において前記基板の前記他方の面と対向して設けられて延在方向の延長線が前記第２ノイズ遮蔽部材と交差する第３ノイズ遮蔽部材をさらに備え、
前記第３ノイズ遮蔽部材は、前記基板に実装された前記制御回路部のグランド、および、前記蓋部材の少なくともいずれか一方に電気的に接続される電力変換装置。
【請求項８】
請求項７に記載の電力変換装置において、
前記第３ノイズ遮蔽部材は、前記基板に固定されている電力変換装置。
【請求項９】
請求項７に記載の電力変換装置において、
前記第３ノイズ遮蔽部材は、前記蓋部材に突設されている電力変換装置。
【請求項１０】
金属製の筐体と、
前記金属製の筐体に収容され、直流電流を交流電流に変換するパワー半導体モジュールと、
前記パワー半導体モジュールと並設されて前記金属製の筐体に収容され、前記パワー半導体モジュールへ供給される直流電流を平滑化するコンデンサモジュールと、
前記パワー半導体モジュールを駆動する駆動回路部を第１領域に実装し、当該駆動回路部を制御する制御回路部を第２領域に実装し、両面のうち、一方の面を前記パワー半導体モジュールおよび前記コンデンサモジュールと対向させて前記金属製の筐体の上面を覆うように配設された基板と、
前記筐体の開口部を覆う金属製の部材であって、前記基板の前記一方の面とは反対側の他方の面と対向する蓋部材と、
前記基板の前記第２領域と前記コンデンサモジュールとが対向する空間に広がり、前記金属製の筐体と電気的に接続されたベース板と、
前記基板の前記第１領域と前記第２領域との境界に沿う方向に延在し、前記基板の前記他方の面と前記蓋部材とが対向する空間を、前記第１領域と前記蓋部材が対向する第１空間と、前記第２領域と前記蓋部材が対向する第２空間とに隔て、前記第２領域に実装された前記制御回路部のグランド、および、前記蓋部材の少なくともいずれか一方に電気的に接続される第１ノイズ遮蔽部材と、
前記第２領域と前記蓋部材が対向する前記第２空間に設けられて、延在方向の延長線が前記第１ノイズ遮蔽部材と交差し、前記第２領域に実装された前記制御回路部のグランド、および、前記蓋部材の少なくともいずれか一方に電気的に接続される第２ノイズ遮蔽部材とを備える電力変換装置。
【請求項１１】
請求項１０に記載の電力変換装置において、
前記第２ノイズ遮蔽部材は、前記延長線が前記第１ノイズ遮蔽部材と直交する電力変換装置。
【請求項１２】
請求項１０に記載の電力変換装置において、
前記第２ノイズ遮蔽部材は、複数設けられる電力変換装置。
【請求項１３】
請求項１２に記載の電力変換装置において、
複数設けられた前記第２ノイズ遮蔽部材は、互いに平行に配設される電力変換装置。
【請求項１４】
請求項１２に記載の電力変換装置において、
前記第２ノイズ遮蔽部材は、２つ設けられており、前記第２ノイズ遮蔽部材同士の間隔が前記第１ノイズ遮蔽部材側に向かうにつれて狭まる電力変換装置。
【請求項１５】
請求項１２に記載の電力変換装置において、
前記第２ノイズ遮蔽部材は、２つ設けられており、前記第２ノイズ遮蔽部材同士の間隔が前記第１ノイズ遮蔽部材側に向かうにつれて広がる電力変換装置。
【発明の詳細な説明】
【技術分野】
【０００１】
本発明は、電力変換装置に関する。
【背景技術】
【０００２】
ハイブリッド自動車又は電気自動車の小型化と共に、これらに用いられる電力変換装置を含めた車両部品の小型化が求められている。そこで、電力変換装置をトランスミッションやモータなどの車両部品に対して搭載することで、電力変換装置とトランスミッションやモータのケースを一体化することができ、全体としてのシステムコストの低減や小型化が可能である。この中で、さらに全体の小型化において、特に薄形化が強く要求される場合もある。【０００３】
ここで、電力変換装置内に目を向けると、薄型化と基板間ハーネスレス化による低コスト化のために、装置内に複数存在する回路基板の一枚化が注目されている。例えば、電力変換装置には、搭載されたマイコンを用いてモータ制御を行うモータの制御回路（ＭＣ）基板と、ＩＧＢＴなどからなるパワースイッチング素子のゲートをＯＮ／ＯＦＦ制御するための駆動回路（ＧＤ）基板がある。このMC基板とGD基板の間には、多数の制御配線があるため、基板一体化が進められている。【０００４】
しかしながら、従来の電力変換装置では、強電側のスイッチング部（パワーモジュール，ＡＣバスバー，ＧＤ基板）のノイズが、弱電側のＭＣ基板に乗り込むと、ＭＣ基板に伝播したスイッチングノイズが、シグナルハーネスなどを伝わって電力変換装置の外に漏れ、その電磁ノイズが問題になる。そこで、強電スイッチング部と、弱電部であるＭＣ基板の間には、例えば金属性のベース板が配置され、このベース板により、強電スイッチング部とＭＣ基板間のノイズを遮断していた。しかし、ＭＣ基板とＧＤ基板を一枚基板化すると、ＧＤ部からＭＣ部の周りへスイッチングノイズが伝播し、ケース開口部であるコネクタなどから外部へ漏れてしまう問題がある。【０００５】
こういったノイズ伝播を抑制する手段として、ケース開口部（コネクタ部）を閉塞するように遮蔽部を備えることで、電磁波発振部品からケース外部へのノイズ放射または外部からのノイズ進入を遮断する構造が知られている（特許文献１参照）。
【先行技術文献】
【特許文献】
【０００６】
【特許文献１】日本国特許３８３６７８５号公報
【発明の概要】
【発明が解決しようとする課題】
【０００７】
しかし、上記文献に記載の構成では、強電スイッチング部から弱電側ＭＣ部へのノイズ乗り込みを防ぐことは出来ないため、ＭＣ部内回路の精度劣化や誤動作、またはＭＣ部内にある外部信号を介してケース外部へノイズが漏れ出すおそれがある。
【課題を解決するための手段】
【０００８】
本発明の第１の態様によると、電力変換装置は、金属製の筐体と、金属製の筐体に収容され、直流電流を交流電流に変換するパワー半導体モジュールと、パワー半導体モジュールと並設されて金属製の筐体に収容され、パワー半導体モジュールへ供給される直流電流を平滑化するコンデンサモジュールと、パワー半導体モジュールを駆動する駆動回路部を第１領域に実装し、当該駆動回路部を制御する制御回路部を第２領域に実装し、金属製の筐体の上面を覆うように配設された基板と、基板の第２領域とコンデンサモジュールとが対向する空間に広がり、金属製の筐体と電気的に接続されたベース板と、基板の第１領域と第２領域との境界に沿う方向に延在し、空間をパワー半導体モジュールが配設される筐体の空間から遮断し、金属製の筐体もしくは制御回路部のグランドに電気的に接続された第１ノイズ遮蔽部材とを備える。
本発明の第２の態様によると、電力変換装置は、金属製の筐体と、金属製の筐体に収容され、直流電流を交流電流に変換するパワー半導体モジュールと、パワー半導体モジュールと並設されて金属製の筐体に収容され、パワー半導体モジュールへ供給される直流電流を平滑化するコンデンサモジュールと、パワー半導体モジュールを駆動する駆動回路部を第１領域に実装し、当該駆動回路部を制御する制御回路部を第２領域に実装し、両面のうち、一方の面をパワー半導体モジュールおよびコンデンサモジュールと対向させて金属製の筐体の上面を覆うように配設された基板と、筐体の開口部を覆う金属製の部材であって、基板の一方の面とは反対側の他方の面と対向する蓋部材と、基板の第２領域とコンデンサモジュールとが対向する空間に広がり、金属製の筐体と電気的に接続されたベース板と、基板の第１領域と第２領域との境界に沿う方向に延在し、基板の他方の面と蓋部材とが対向する空間を、第１領域と蓋部材が対向する第１空間と、第２領域と蓋部材が対向する第２空間とに隔て、第２領域に実装された制御回路部のグランド、および、蓋部材の少なくともいずれか一方に電気的に接続される第１ノイズ遮蔽部材と、第２領域と蓋部材が対向する第２空間に設けられて、延在方向の延長線が第１ノイズ遮蔽部材と交差し、第２領域に実装された制御回路部のグランド、および、蓋部材の少なくともいずれか一方に電気的に接続される第２ノイズ遮蔽部材とを備える。
【発明の効果】
【０００９】
本発明によれば、簡易な構成によって、効果的にノイズの伝搬を抑制できるので、コスト上昇を抑制しつつ、電力変換装置の信頼性を向上できる。
【図面の簡単な説明】
【００１０】
【図１】第１の実施の形態の電力変換装置の外観を示す斜視図である。
【図２】第１の実施の形態の電力変換装置を構成要素に分解した斜視図である。
【図３】電力変換装置の模式的な断面図である。
【図４】第２の実施の形態の電力変換装置の外観斜視図である。
【図５】第２の実施の形態の電力変換装置の模式的な平面図と断面図である。
【図６】第２の実施の形態の変形例を示す図である。
【図７】第３の実施の形態の電力変換装置の外観斜視図である。
【図８】第３の実施の形態の電力変換装置の模式的な平面図と断面図である。
【図９】変形例を示す図である。
【図１０】変形例を示す図である。
【図１１】変形例を示す図である。
【図１２】変形例を示す図である。
【図１３】変形例を示す図である。
【図１４】変形例を示す図である。
【図１５】変形例を示す図である。
【図１６】変形例を示す図である。
【図１７】変形例を示す図である。
【図１８】変形例を示す図である。
【図１９】変形例を示す図である。
【図２０】変形例を示す図である。
【図２１】変形例を示す図である。
【発明を実施するための形態】
【００１１】
−−−第１の実施の形態−−−
図１〜３を参照して、本発明による電力変換装置の一実施の形態について説明する。本実施の形態の電力変換装置は，例えばハイブリッド自動車や電気自動車等に搭載されている。図１は、本実施の形態に係る電力変換装置１００の外観斜視図であり、図２は、電力変換装置１００の全体構成を説明するために構成要素に分解した斜視図である。電力変換装置１００は、ＭＣ部１１およびＧＤ部１２を搭載した回路基板１３と、金属製ベース板１０と、ＡＣバスバー２１ａ〜２１ｃと、パワー半導体モジュール３０と、コンデンサモジュール４０とを備える。これらの部材は、金属製の筐体であるケース５０に収納される。ケース５０は、図示上部の開口が金属製の蓋６０で閉じられている。
【００１２】
パワー半導体モジュール３０は、例えばＩＧＢＴや還流ダイオードなどを組み合わせて構成されたモジュールであり、直流電力を交流電力に変換する。コンデンサモジュール４０は、直流電力を平滑化するモジュールである。回路基板１３は、パワー半導体モジュール３０を駆動する駆動信号を出力する駆動回路であるＧＤ部１２を搭載する基板である。また、回路基板１３には、パワー半導体モジュール３０を制御するための制御信号をＧＤ部１２に出力する制御回路部であるＭＣ部１１が搭載されている。なお、回路基板１３では、図示左側の第１領域１２０にＧＤ部１２が実装され、図示右側の第２領域１１０にＭＣ部１１が実装されている。
【００１３】
外部の高圧バッテリーの直流電力は、コンデンサモジュール４０を介してパワー半導体モジュール３０へ供給される。パワー半導体モジュール３０で交流に変換された電力は、ＡＣバスバー２１ａ〜２１ｃを介して不図示のモータに供給される。コンデンサモジュール４０とパワー半導体モジュール３０は金属製のケース５１に搭載されている。ケース５１はケース５０とネジなどで接続されている。ケース５１はケース５０と電気的にも接続されている。
【００１４】
ケース５１およびコンデンサモジュール４０と、回路基板１３との間には、金属製ベース板１０が配置されている。金属製ベース板１０は、ケース５１に固定されている。したがって、ケース５１に搭載されているコンデンサモジュール４０や直流側導体板２２ａ，２２ｂ（図４参照）からの強電ノイズが、回路基板１３、特にＭＣ部１１に影響を与えることを防止できる。また、ＭＣ部１１やＧＤ部１２といった電子部品の発熱を、金属製ベース板１０を介してケース５１やケース５１内部にある冷却部に逃がすことにより、電子部品を冷却している。
【００１５】
強電側スイッチング部（パワー半導体モジュール３０，ＡＣバスバー２１ａ〜２１ｃ，ＧＤ部１２）のスイッチングノイズが、弱電側のＭＣ部１１に乗り込むと、ＭＣ部１１内の回路またはグランド層に伝播したスイッチングノイズが、不図示のシグナルハーネスなどを伝わって電力変換装置の外に漏れるおそれがある。このノイズの主な伝播経路の一つは、強電側スイッチング部から、回路基板１３と金属製ベース板１０間の空間へと伝播し、ＭＣ部１１の基板内配線や基板内グランドに乗り込む経路である。
【００１６】
この経路からのノイズの伝播を抑制するため、金属製ベース板１０には遮蔽部１が形成されている。遮蔽部１は、ＭＣ部１１とＧＤ部１２との境界、すなわち第１領域１２０と第２領域１１０との境界に沿う方向に延在し、金属製ベース板１０の図示上面から回路基板１３へ向かって突出している。図３は電力変換装置１００の模式的な断面図であり、遮蔽部１の形成位置を説明したものである。
【００１７】
なお、図２に示すように、遮蔽部１には、第１領域１２０と第２領域１１０との境界に沿って図面の左上方向へ向かう途中から、遮蔽部１の高さが低くなった部位１ａが存在する。この部位１ａは、回路基板１３の図示下面表層に設けられた、ＭＣ部１１とＧＤ部１２とを接続するための回路パターンとの接触を防止するための逃げである。ただし、ＭＣ部１１とＧＤ部１２とを接続するための回路パターンが回路基板１３の内層に設けられている場合には、逃げとなる部位１ａを設けないことが望ましい。
【００１８】
遮蔽部１を回路基板１３のＭＣ部１１に形成されたグランド層と電気的に接続することが好ましい。この場合、金属製ベース板１０が遮蔽部１の図示上側の端部でＭＣ部１１のグランド層とさらに電気的に接続されるため、ノイズのシールド効果が向上する。
【００１９】
なお、本発明は、遮蔽部１とＭＣ部１１に形成されたグランド層との接続状態を限定するものでなく、遮蔽部１とＭＣ部１１に形成されたグランド層とが電気的に接続されていればよい。また、接触面積についても、必ずしも遮蔽部１の図示上面の全面的な接触でなくてもよく、部分的な接触でもノイズ伝播の低減効果があるが、できるだけ接触面積を多くすることが好ましい。
【００２０】
第１の実施形態では、遮蔽部１は金属製ベース板１０と一体的に形成され、回路基板１３に向かって突出させているが、本発明はこれに限定されるものではない。たとえば、金属製の遮蔽部１を金属製ベース板１０とは異なる部材で構成して、金属製ベース板１０および／またはＭＣ部１１に形成されたグランド層と電気的に接続させてもよい。
【００２１】
このように、本実施の形態の電力変換装置１００では、簡易な構成によって、効果的にノイズの伝搬を抑制できるので、コスト上昇を抑制しつつ、電力変換装置１００の信頼性を向上できる。
【００２２】
−−−第２の実施の形態−−−
図４，５を参照して、本発明による電力変換装置の第２の実施の形態を説明する。以下の説明では、第１の実施の形態と同じ構成要素には同じ符号を付して相違点を主に説明する。特に説明しない点については、第１の実施の形態と同じである。本実施の形態は、遮蔽部１に代えて遮蔽板２が設けられている点で、第１の実施の形態と異なる。
【００２３】
図４は、第２の実施の形態に係る電力変換装置１００を示す外観斜視図であり、図５（ａ），（ｂ）は第２の実施の形態に係る電力変換装置１００の模式的な平面図と断面図である。
【００２４】
本実施の形態では、ノイズの主な伝播経路は、強電側スイッチング部から、回路基板１３と金属製の蓋６０間の空間へと伝播し、ＭＣ部１１の基板内配線や基板内グランドに乗り込む経路である。この経路からのノイズの伝播を抑制するため、本実施の形態では、金属製の遮蔽板２が設けられている。
【００２５】
金属製の遮蔽板２は、第１領域１２０と第２領域１１０との境界に沿う方向に延在し、回路基板１３の図示上面から図１に示した蓋６０の下面に向かって立設された板状の部材であり、回路基板１３に固定されている。遮蔽板２は、回路基板１３のＭＣ部１１に形成されたグランド層と電気的に接続されている。
【００２６】
遮蔽板２と金属製の蓋６０の下面との間には隙間があってもよいが、この隙間は狭い方が好ましい。そして、遮蔽板２と金属製の蓋６０とが接触するとより好ましい。遮蔽板２が金属製の蓋６０の下面と接触することで、遮蔽板２の図示上下端がグランドに接続されるため、シールド効果が向上する。
【００２７】
なお、本発明は、遮蔽板２とＭＣ部１１に形成されたグランド層または金属製の蓋６０との接続状態を限定するものでなく、遮蔽板２とＭＣ部１１に形成されたグランド層および／または金属製の蓋６０と電気的に接続されていればよい。また接触面積についても、必ずしも遮蔽板２の図示上端や下端での全面的な接触でなくてもよく、部分的な接触でもノイズ伝播の低減効果があるが、できるだけ接触面積を多くすることが好ましい。
【００２８】
また、本実施の形態では、遮蔽板２を、回路基板１３のＭＣ部１１に形成されたグランド層と接触している金属製の部材としたが、本発明はこれに限定されるものではない。たとえば、図６（ａ），（ｂ）に示すように、ＭＣ部１１とＧＤ部１２の境界に沿って、金属製の蓋６０の下面（内面）から回路基板１３へ向かって遮蔽板２を突設させてもよい。この場合、金属製の蓋６０の下面から回路基板１３へ向かって突設された遮蔽板２の下端が、ＭＣ部１１に形成されたグランド層と対向することが好ましい。さらに、金属製の蓋６０から突設された遮蔽板２の下端がＭＣ部１１に形成されたグランド層と接触することが好ましい。
【００２９】
このように、本実施の形態の電力変換装置１００では、簡易な構成によって、効果的にノイズの伝搬を抑制できるので、コスト上昇を抑制しつつ、電力変換装置１００の信頼性を向上できる。
【００３０】
−−−第３の実施の形態−−−
図７，８を参照して、本発明による電力変換装置の第３の実施の形態を説明する。以下の説明では、第１および第２の実施の形態と同じ構成要素には同じ符号を付して相違点を主に説明する。特に説明しない点については、第１および第２の実施の形態と同じである。本実施の形態は、第２の実施の形態の遮蔽板２に加えて遮蔽板３を追加して設けた点で、第２の実施の形態と異なる。
【００３１】
図７は、第３の実施の形態に係る電力変換装置１００を示す外観斜視図であり、図８（ａ），（ｂ）は第３の実施の形態に係る電力変換装置１００の模式的な平面図と断面図である。本実施の形態では、遮蔽板２がＭＣ部１１に形成されたグランド層および金属製の蓋６０のいずれか一方に接触している。たとえば、遮蔽板２がＭＣ部１１に形成されたグランド層と接触し、金属製の蓋６０とは離間しているものとする。
【００３２】
遮蔽板２と金属製蓋６０の間には、横長のスリット状の隙間が形成される。このような隙間が形成されている状態であっても、強電側スイッチング部（パワー半導体モジュール３０，ＡＣバスバー２１ａ〜２１ｃ，ＧＤ部１２）から空間を伝播するスイッチングノイズを低減する効果はある。しかし、垂直偏波成分の電磁ノイズは、このような隙間を損失少なく通過してしまい、ＭＣ部１１の上部に到達するおそれがある。
【００３３】
本実施の形態では、この垂直偏波の電磁ノイズの伝搬を低減するために、ＭＣ部１１の中央部において、遮蔽板２の延在方向と直交する方向に延在する金属製の遮蔽板３が設けられている。この遮蔽板３は、回路基板１３の第２領域１１０において金属製の蓋６０に向かって立設されている。すなわち、遮蔽板３は、第２の領域１１０内で回路基板１３の図示上面から蓋６０の下面に向かって立設された板状の部材であり、回路基板１３に固定されている。
【００３４】
遮蔽板３は、回路基板１３のＭＣ部１１に形成されたグランド層と電気的に接続されており、さらに遮蔽板３のＧＤ部１２側への延在方向の延長線が、遮蔽板２を横切るように配設されている。特に図８に示すように、上記延長線が遮蔽板２の中央部において直交するように遮蔽板３を配設したときに最もノイズ低減効果が大きいが、上記延長線が遮蔽板２の中央部よりも遮蔽板２の延在方向にずれるように遮蔽板３を配設してもよい。
【００３５】
上述のように、遮蔽板２と金属製の蓋６０の隙間を通り抜けやすいのは垂直偏波成分のノイズである。遮蔽板３は、その垂直偏波成分のノイズをシャントするように働くため、ＭＣ部１１上部のノイズの低減効果が大きい。この低減効果は、遮蔽板３の長さによっても変化し、より遮蔽板２に近い位置から、より長く遮蔽板３を延在させると、ノイズ低減効果がより大きくなる。
【００３６】
以上、第１から第３の実施形態を述べたが、上述した各実施形態はそれぞれ単独に、あるいは組み合わせて用いても良い。それぞれの実施形態での効果を単独あるいは相乗して奏することができるからである。また、本発明の特徴を損なわない限り、本発明は上記実施の形態に何ら限定されるものではない。つまり、例えば、図９および図１０（ａ），（ｂ）のように本発明の第１および第３の実施の形態を組み合わせても良く、また、図１１（ａ），（ｂ）に示すように、本発明の第１および第２の実施の形態を組み合わせても良い。
【００３７】
また、第３の実施の形態では、遮蔽板２および遮蔽板３が、回路基板１３のＭＣ部１１に形成されたグランド層と接触している金属製の部材としたが、本発明はこれに限定されるものではない。たとえば、図１２（ａ），（ｂ）に示すように、回路基板１３へ向かって突出するように遮蔽板２および遮蔽板３を金属製の蓋６０の下面に突設しても同等の効果を得られる。また、図１３（ａ），（ｂ），図１４（ａ），（Ｂ）に示すように、遮蔽板２および遮蔽板３のいずれか一方を回路基板１３のＭＣ部１１に形成されたグランド層と接触させ、他方を金属製の蓋６０の下面に突設して回路基板１３へ突出させてもよい。また、遮蔽板３を、たとえば以下の図１５〜２１のように配設してもよい。なお、図１５〜２１は、遮蔽板２および遮蔽板３の位置関係を模式的に示す平面図である。
【００３８】
すなわち、図１５に示すように、遮蔽板３を遮蔽板２に当接させてもよく、図１６に示すように、遮蔽板３の長さを短くしてもよく、図１７に示すように、遮蔽板３を遮蔽板２に対して斜めに配設してもよく、図１８に示すように、遮蔽板３を平行に２つ、または３つ以上設けてもよい。また、図１９に示すように、２つの遮蔽板３が遮蔽板２に向かって先窄まりとなるように、すなわち遮蔽板３同士の間隔が、遮蔽板２側に向かうにつれて狭くなるように配設してもよい。また、図２０に示すように、２つの遮蔽板３が遮蔽板２に向かって先広がりとなるように、すなわち遮蔽板３同士の間隔が、遮蔽板２側に向かうにつれて広くなるように配設してもよい。また、図２１に示すように、２つの遮蔽板３を平行に、かつ、遮蔽板２に対して斜めになるように配設してもよい。遮蔽板３を各図１２〜２１のように配設した場合であっても、図７，８に示した第３の実施の形態と同様の作用効果を奏する。
【００３９】
また、上述の各実施の形態では、１つのモータを駆動する電力変換装置の例について説明したが，本発明はこれに限定されるものではなく，複数のパワーモジュールにより複数のモータを駆動するなどとした場合にも、同様の効果を得ることが可能である。
【００４０】
さらに、上述の各実施の形態に係る電力変換装置は、主にハイブリッド自動車や電気自動車に用いられるものとして説明したが、その効果を達成するために他の用途に用いられてもよい。たとえば生産性向上や冷却性能向上を目的とした冷蔵庫やエアコンの家電用インバータに用いられてもよい。また使用環境が車両用インバータと類似した産業機器用インバータに用いられてもよい。
【００４１】
なお、本発明は、上述した実施の形態のものに何ら限定されず、金属製の筐体と、金属製の筐体に収容され、直流電流を交流電流に変換するパワー半導体モジュールと、パワー半導体モジュールと並設されて金属製の筐体に収容され、パワー半導体モジュールへ供給される直流電流を平滑化するコンデンサモジュールと、パワー半導体モジュールを駆動する駆動回路部を第１領域に実装し、当該駆動回路部を制御する制御回路部を第２領域に実装し、金属製の筐体の上面を覆うように配設された基板と、基板の第２領域とコンデンサモジュールとが対向する空間に広がり、金属製の筐体と電気的に接続されたベース板と、基板の第１領域と第２領域との境界に沿う方向に延在し、空間をパワー半導体モジュールが配設される筐体の空間から遮断し、金属製の筐体もしくは制御回路部のグランドに電気的に接続された第１ノイズ遮蔽部材とを備える各種構造の電力変換装置を含むものである。
また、本発明は、上述した実施の形態のものに何ら限定されず、金属製の筐体と、金属製の筐体に収容され、直流電流を交流電流に変換するパワー半導体モジュールと、パワー半導体モジュールと並設されて金属製の筐体に収容され、パワー半導体モジュールへ供給される直流電流を平滑化するコンデンサモジュールと、パワー半導体モジュールを駆動する駆動回路部を第１領域に実装し、当該駆動回路部を制御する制御回路部を第２領域に実装し、両面のうち、一方の面をパワー半導体モジュールおよびコンデンサモジュールと対向させて金属製の筐体の上面を覆うように配設された基板と、筐体の開口部を覆う金属製の部材であって、基板の一方の面とは反対側の他方の面と対向する蓋部材と、基板の第２領域とコンデンサモジュールとが対向する空間に広がり、金属製の筐体と電気的に接続されたベース板と、  基板の第１領域と第２領域との境界に沿う方向に延在し、基板の他方の面と蓋部材とが対向する空間を、第１領域と蓋部材が対向する第１空間と、第２領域と蓋部材が対向する第２空間とに隔て、第２領域に実装された制御回路部のグランド、および、蓋部材の少なくともいずれか一方に電気的に接続される第１ノイズ遮蔽部材と、第２領域と蓋部材が対向する第２空間に設けられて、延在方向の延長線が第１ノイズ遮蔽部材と交差し、第２領域に実装された制御回路部のグランド、および、蓋部材の少なくともいずれか一方に電気的に接続される第２ノイズ遮蔽部材とを備える各種構造の電力変換装置を含むものである。
【００４２】
次の優先権基礎出願の開示内容は引用文としてここに組み込まれる。
日本国特許出願２０１３年第１９２８１６号（２０１３年９月１８日出願）
【符号の説明】
【００４３】
１  遮蔽部、２  遮蔽板、３  遮蔽板、１０  ベース板、１１  ＭＣ部、１２  ＧＤ部、１３  回路基板、３０  パワー半導体モジュール、４０  コンデンサモジュール、５０  ケース、６０  蓋、１００  電力変換装置、１１０  第２領域、１２０  第１領域
【図１】
2015040970.tif 000003
【図２】
2015040970.tif 000004
【図３】
2015040970.tif 000005
【図４】
2015040970.tif 000006
【図５】
2015040970.tif 000007
【図６】
2015040970.tif 000008
【図７】
2015040970.tif 000009
【図８】
2015040970.tif 000010
【図９】
2015040970.tif 000011
【図１０】
2015040970.tif 000012
【図１１】
2015040970.tif 000013
【図１２】
2015040970.tif 000014
【図１３】
2015040970.tif 000015
【図１４】
2015040970.tif 000016
【図１５】
2015040970.tif 000017
【図１６】
2015040970.tif 000018
【図１７】
2015040970.tif 000019
【図１８】
2015040970.tif 000020
【図１９】
2015040970.tif 000021
【図２０】
2015040970.tif 000022
【図２１】
2015040970.tif 000023
【国際調査報告】
2015040970.tif 000024
2015040970.tif 000025
2015040970.tif 000026
2015040970.tif 000027